(57)【要約】【課題】開封した者に効果的に訴求できるメッセージ付き包装箱を安価に提供する。【解決手段】一対の側板１とこれに対して直角をなす一対の側板２とから周壁を形成し、一方の対向する側板１から内フラップ６を、他方の対向する側板２から外フラップ７をそれぞれ延出し、内フラップ６と外フラップ７とを重ね合わせて封緘する包装箱において、前記一対の内フラップ６の先端に、部分的に突出した重合片８を設け、内フラップ６の表面にメッセージを表示しておき、封緘時には、一対の内フラップ６同士を、重合片８が外側となるように互いに噛み合わせ、内フラップ６の表示を外フラップ７で覆い、開封に際して、外フラップ７を開くと内フラップ６の表示が現れるようにする。【選択図】図３
2009090986.tif 000002
【特許請求の範囲】
【請求項１】
一対の側板(1)とこれに対して直角をなす一対の側板(2)とから周壁を形成し、一方の対向する側板(1)から内フラップ(6)を、他方の対向する側板(2)から外フラップ(7)をそれぞれ延出し、内フラップ(6)と外フラップ(7)とを重ね合わせて封緘する包装箱において、
前記一対の内フラップ(6)の先端に、部分的に突出した重合片(8)を設け、内フラップ(6)の表面にメッセージを表示しておき、封緘時には、一対の内フラップ(6)同士を、重合片(8)が外側となるように互いに噛み合わせ、内フラップ(6)の表示を外フラップ(7)で覆い、開封に際して、外フラップ(7)を開くと内フラップ(6)の表示が現れるようにしたことを特徴とする包装箱。
【発明の詳細な説明】
【技術分野】
【０００１】
この発明は、広告や注意書き等のメッセージ表示を施した包装箱に関するものである。
【背景技術】
【０００２】
一般に、通信販売において顧客への商品配送に使用される包装箱は、一対の側板とこれに対して直角をなす一対の側板とから周壁を形成し、一方の対向する側板から内フラップを、他方の対向する側板から外フラップをそれぞれ延出し、内フラップと外フラップとを重ね合わせて封緘する構成とされている。
【０００３】
この包装箱には、通常、外装の表面に通信販売業者の商標や広告等が表示されるが、下記特許文献１には、広告面積の拡大のため、外フラップ及び内フラップの裏面にも広告を表示した包装箱が記載されている。
【０００４】
【特許文献１】登録実用新案第３１０４８８５号公報
【発明の開示】
【発明が解決しようとする課題】
【０００５】
しかしながら、上記特許文献１に係る包装箱では、開封に際して、一対の外フラップを開くと、一対の内フラップの先端間の隙間から箱内の商品が見えるので、顧客の注意力が広告の表示に向けられず、十分な訴求力が得られない場合がある。
【０００６】
また、広告等の表示を印刷で行なう場合には、製造に際し、段ボールの表裏に印刷する必要があり、そのような両面印刷を施すには多大なコストがかかるという問題もある。
【０００７】
そこで、この発明は、開封した者に効果的に訴求できるメッセージ付き包装箱を安価に提供することを課題とする。
【課題を解決するための手段】
【０００８】
上記のような課題を解決するため、この発明は、一対の側板とこれに対して直角をなす一対の側板とから周壁を形成し、一方の対向する側板から内フラップを、他方の対向する側板から外フラップをそれぞれ延出し、内フラップと外フラップとを重ね合わせて封緘する包装箱において、前記一対の内フラップの先端に、部分的に突出した重合片を設け、内フラップの表面にメッセージを表示しておき、封緘時には、一対の内フラップ同士を、重合片が外側となるように互いに噛み合わせ、内フラップの表示を外フラップで覆い、開封に際して、外フラップを開くと内フラップの表示が現れるようにしたのである。
【発明の効果】
【０００９】
この包装箱では、顧客が商品を取り出そうとして外フラップを開けたとき、一対の内フラップが噛み合っていることから、商品を見ることができず、内フラップの表面に施したメッセージの表示が必ず顧客の目に入るので、高い訴求効果が得られる。また、製造時に両面に表示を施す必要がないので、包装箱の使用者への提供価格を抑制できる。
【発明を実施するための最良の形態】
【００１０】
以下、この発明の実施形態を添付図面に基づいて説明する。
【００１１】
この包装箱は、通信販売や宅配における商品の包装に使用されるものであり、図１に示すような段ボール製ブランクから形成される。
【００１２】
この包装箱のブランクでは、各一対の側板１，２が交互に連設され、一方の側板１の外側に継代片３が連設されている。側板１の下端には外フラップ４が、側板２の下端には内フラップ５がそれぞれ連設され、側板１の上端には内フラップ６が、側板２の上端には外フラップ７がそれぞれ連設されている。
【００１３】
内フラップ６の先端の片側部分には、突出した重合片８が設けられ、外フラップ７の基端から先端までの寸法と、内フラップ６の基端から重合片８の先端までの寸法とは、ほぼ同一とされている。外フラップ７の先端両角部と重合片８の両側縁とは、斜めに切断されている。
【００１４】
そして、内フラップ６の表面には、収納した商品の特徴を強調した広告や、使用説明等の注意書きのほか、他の商品や関連業者の広告等のメッセージの印刷による表示が重合片８を含めて内フラップ６全体に施されている。
【００１５】
このブランクを組み立てて商品を包装するには、図２に示すように、各一対の側板１及び側板２を角筒状に折り曲げ、継代片３を反対側の側板２に貼り付けて周壁を形成し、下方の内フラップ５及び外フラップ４を順次内側へ折り曲げ、テープ貼り等により底面を閉じて、箱内に商品を収納する。
【００１６】
次に、内フラップ６を内側へ折り曲げ、重合片８の傾斜した側縁の案内に伴い、一対の内フラップ６同士を、重合片８が外側となるように互いに噛み合わせる。
【００１７】
その後、外フラップ７を内側へ折り曲げることにより、内フラップ６の表面を外フラップ７で覆い、外フラップ７の突合部に粘着テープＴを貼り付けて封緘する。
【００１８】
一方、上記のように封緘された包装箱が顧客へ配送され、包装箱を受け取った顧客が開封する際には、粘着テープＴを剥がし、図３に示すように、まず、外フラップ７を開き、第１段階の開封状態とする。
【００１９】
この状態では、一対の内フラップ６が噛み合っていることから、顧客は商品を見ることができず、内フラップ６の表面に施したメッセージの表示が必ず顧客の目に入り、顧客にメッセージを確実に伝えることができる。
【００２０】
また、通常の溝切型段ボール箱に比較して、内フラップ６の重合片８により広告面積を大きく確保できるので、高い訴求効果が得られる。
【００２１】
そして、箱内の商品を取り出す際には、図４に示すように、一対の内フラップ６を開いて、天面を開口させた第２段階の開封状態とする。このとき、内フラップ６を引き起こすだけで、簡単に噛合状態を解除することができる。
【００２２】
また、上記のような包装箱は、側板１，２の表面に施す商標等の印刷と同様、内フラップ６の表面にメッセージを印刷していることから、製造時に両面印刷を施す必要がなく、包装箱の使用者への提供価格を抑制できる。
【００２３】
なお、上記実施形態では、各内フラップ６に重合片８をそれぞれ一個ずつ設けたものを例示したが、一方又は両方の内フラップ６に複数個の重合片８を設け、これらにより一対の内フラップ６を噛み合わせるようにしてもよい。
【００２４】
また、各一対の側板１，２から成る周壁の稜部が角張ったものを例示したが、周壁の稜部に側板１，２に対して鈍角をなす面取部を形成してもよい。
【００２５】
また、メッセージの表示を印刷により施したものを例示したが、メッセージの表示は、内フラップ６に紙や樹脂フィルム等のシールを貼り付けることにより行なってもよい。
【図面の簡単な説明】
【００２６】
【図１】この発明に係る包装箱のブランクを示す表面図
【図２】同上の封緘状態を示す斜視図
【図３】同上の第１段階の開封状態を示す斜視図
【図４】同上の第２段階の開封状態を示す斜視図
【符号の説明】
【００２７】
１，２  側板
３  継代片
４  外フラップ
５  内フラップ
６  内フラップ
７  外フラップ
８  重合片
Ｔ  粘着テープ
【図１】
2009090986.tif 000003
【図２】
2009090986.tif 000004
【図３】
2009090986.tif 000005
【図４】
2009090986.tif 000006